(57)【要約】      （修正有）【課題】導波管の相互連結箇所のギャップを有効的に補填し、信号の損失及び電磁干渉を減らすナノめっき層を有する導波管及び導波管組立部材を提供する。【解決手段】ナノめっき層を有する導波管及び導波管が複数連結されることにより構成される導波管組立部材であって、導波管１は第一導波路ブロックと第二導波路ブロックとが組み合わせることにより形成されるか、または一体成形される中空の金属管で構成される。第一導波路ブロックと第二導波路ブロックとが相互に連結される箇所及び各導波管が相互に連結される箇所には全てギャップ１４が生じる。ナノめっき層２はナノ電気めっきにより導波管又は導波管組立部材の外表面に形成され、且つ各ギャップを補填する。ナノめっき層はナノ金属材料であり、且つナノ粒子を有する。【選択図】図４
0003224247.tif 000002
【実用新案登録請求の範囲】
【請求項１】
陥凹形成される第一導波路溝を有する第一組み合わせ面を含む第一導波路ブロックと、
前記第一組み合わせ面に対応するように設けられ、かつ前記第一導波路溝に対応するように陥凹形成される第二導波路溝を有する第二組み合わせ面を含む第二導波路ブロックと、
前記第一導波路ブロック及び前記第二導波路ブロックの外表面にナノ電気めっきにより形成されるナノめっき層であって、前記第一導波路ブロックと前記第二導波路ブロックとの間に生じるギャップを補填する、ナノめっき層と、
を備え、
前記第一導波路ブロックの前記第一組み合わせ面と前記第二導波路ブロックの前記第二組み合わせ面とが相互に貼り合わされることにより、前記第一導波路溝と前記第二導波路溝とが導波路空間を形成するように組み合わされ、
前記ナノめっき層はナノ金属材料であり、且つナノ粒子を有する、
ことを特徴とする導波管。
【請求項２】
前記ナノめっき層は、成分としてニッケル金属無機塩類、無機酸、界面活性剤を含むことを特徴とする請求項１に記載の導波管。
【請求項３】
それぞれが高周波電磁波を伝導するための中空の導波路空間を有する金属管であると共に、互いに連結されることにより前記導波路空間が相互に連通される複数の導波管と、
互いに連結される複数の前記導波管の外表面にナノ電気めっきにより形成されるナノめっき層であって、隣接する前記導波管の間に生じるギャップを補填する、ナノめっき層と、
を備え、
前記ナノめっき層はナノ金属材料であり、且つナノ粒子を有する、
ことを特徴とする導波管組立部材。
【請求項４】
前記導波管は、第一接続端と、第二接続端と、中空の導波路空間と、を有し、各前記導波管の前記第一接続端は隣接する他の前記導波管の前記第二接続端に連結されることにより、各前記導波路空間が相互に連通されることを特徴とする請求項３に記載の導波管組立部材。
【請求項５】
前記ナノめっき層は、成分としてニッケル金属無機塩類、無機酸、界面活性剤を含むことを特徴とする請求項３に記載の導波管組立部材。
【考案の詳細な説明】
【技術分野】
【０００１】
本考案は、ナノめっき層を有する導波管及び導波管組立部材に関し、より詳しくは、信号の損失及び電磁干渉を低減させるナノめっき層を有する導波管及び導波管組立部材に関する。
【背景技術】
【０００２】
従来の導波管１’は第一導波路ブロック１１’、第二導波路ブロック１２’、及び１組のガスケット１７で構成される（図５参照）。前記第一導波路ブロック１１’及び前記第二導波路ブロック１２’は共に互いに対向しあうように設けられる凹部１８を有し、前記第一導波路ブロック１１’及び前記第二導波路ブロック１２’が組み立てられると、前記ガスケット１７が前記第一導波路ブロック１１’と前記第二導波路ブロック１２’との間の組み合わせ面に装設されると共に前記凹部１８からはずらされる。この際、２つの前記凹部１８が相互に結合されて導波路空間が形成され、前記導波路空間は高周波電磁波を伝導させるために用いられる。前記第一導波路ブロック１１’、前記ガスケット１７、及び前記第二導波路ブロック１２’ がボルトにより相互に連結固定され、従来の導波管１’が組み立てられる。
【０００３】
また、従来の導波管組立部材１００’は導波管を有し、前記導波管組立部材は複数の導波管１’で構成される（図６参照）。複数の前記導波管１’は中空の金属管が構成され、前記中空部分は導波路空間１３’であり、前記導波路空間１３’は高周波電磁波の伝導に用いられる。各前記導波管組立部材が相互に連結される箇所の間にはガスケット１７が設置され、且つボルトにより各前記導波管１’及びガスケット１７が相互に連結固定され、これにより成導波管組立部材１００’が組み立てられる。
【考案の概要】
【考案が解決しようとする課題】
【０００４】
しかしながら、前述した従来の技術による、この組み立て方式では、前記導波管１’の前記第一導波路ブロック１１’、前記ガスケット１７、及び前記第二導波路ブロック１２’ が相互に連結固定される箇所、及び各前記導波管１’ とガスケット１７とが相互に連結される箇所の間に大きなギャップが生じる。前記ギャップのために信号の損失及びアンテナ効果が発生し、外部の電磁波が前記ギャップを通って導波管１’や導波管組立部材１００’に容易に進入するようになり、前記導波管組立部材１００’の伝送効果に影響が及んだ。
【０００５】
そこで、本考案者は上記の欠点が改善可能と考え、鋭意検討を重ねた結果、合理的設計で上記の課題を効果的に改善する本考案の提案に至った。
【０００６】
本考案は、このような従来の問題に鑑みてなされたものであり、その目的とすることろは、ナノめっき層を有する導波管及び導波管組立部材を提供する。すなわち、信号の損失を減らし、外部の電磁干渉を回避させる。
【課題を解決するための手段】
【０００７】
上記課題を解決するために、本考案において、ナノめっき層を有する導波管及び前記導波管が複数連結されることにより構成される導波管組立部材が提供される。導波管は第一導波路ブロックと第二導波路ブロックとが組み合わせることにより形成されるか、または一体成形される中空の金属管で構成され、前記第一導波路ブロックと第二導波路ブロックとが相互に連結される箇所及び各導波管が相互に連結される箇所には全てギャップが生じる。前記ナノめっき層はナノ電気めっきにより導波管または導波管組立部材の外表面に形成され、且つ各ギャップを補填する。前記ナノめっき層はナノ金属材料であり、且つナノ粒子を有する。
【考案の効果】
【０００８】
上述したように、本考案に係るナノめっき層を有する導波管及び導波管組立部材は前記ナノめっき層が前記導波管または前記導波管組立部材の外表面に形成され、且つ各前記導波管または前記導波管組立部材の連結箇所に生じたギャップを補填する。これにより、本考案に係るナノめっき層を有する導波管及び導波管組立部材が前記ギャップを有効的に補填し、信号の損失及び電磁干渉を低減させる。
【図面の簡単な説明】
【０００９】
【図１】本考案の第１実施形態による導波管を示す外観斜視図である。
【図２】図１のII-II線に沿う断面図である。
【図３】本考案の第１実施形態による導波管組立部材を示す外観斜視図である。
【図４】図３のIV-IV線に沿う断面図である。
【図５】従来の導波管を示す斜視分解図である。
【図６】従来の導波管組立部材を示す斜視分解図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１１】
まず、図１と図２に示されるように、本考案の第一実施形態に係る導波管１は第一導波路ブロック１１及び第二導波路ブロック１２で構成され、前記第一導波路ブロック１１は、陥凹形成される第一導波路溝１１２を有する第一組み合わせ面１１１を含む。前記第二導波路ブロック１２は前記第一組み合わせ面１１１に対応するように設けられる第二組み合わせ面１２１を有する。前記第二組み合わせ面１２１は第一導波路溝１１２に対応するように陥凹形成される第二導波路溝１２２を有する。組み立てる場合、まず前記第一導波路ブロック１１の第一組み合わせ面１１１と前記第二導波路ブロック１２の前記第二組み合わせ面１２１とを相互に貼り合わせ、前記第一組み合わせ面１１１及び前記第二組み合わせ面１２１を超音波溶接により互いに溶接する。こうして前記第一導波路溝１１２及び前記第二導波路溝１２２が導波路空間１３として組み立てられ、前記導波路空間１３が高周波電磁波を伝導させるために用いられる。前記第一組み合わせ面１１１及び前記第二組み合わせ面１２１が相互に貼り合わせる箇所にギャップ１４が生じる。
【００１２】
前記ナノめっき層２はナノ電気めっき液を成分として組み立てが完成した前記第一導波路ブロック１１及び前記第二導波路ブロック１２の外表面に電気めっきされ、且つ前記第一導波路ブロック１１と前記第二導波路ブロック１２との間に生じたギャップ１４を補填する。ナノ電気めっきは電気めっき液にナノ粒子が添加され、電気めっきを施す際にこれらのナノ粒子がめっき層表面を連続的に摩擦し、表面の気泡を効果的に除去しつつめっき層に対して機械研磨を行うことにより、めっき層表面の光沢及び総合的な機械強度を高める。ゆえに、前記ナノめっき層２はナノ金属材料であり、成分としてニッケル金属無機塩類（例えば、硫酸ニッケルや塩化ニッケル）、無機酸（例えば、ホウ酸）、界面活性剤（例えば、ラウリル硫酸ナトリウム）、ナノ粒子（例えば、銀ナノ粒子、二酸化チタンナノ粒子、二酸化ケイ素ナノ粒子、酸化アルミニウムナノ粒子、酸化亜鉛ナノ粒子）等を含み、前記導波管１は防水、抗酸化、耐硫化腐食、及び電磁干渉（Electromagnetic Interference、EMI）防止機能を提供する。以上がナノめっき層２の材料の代表的な成分であるが、上述の成分に限定されない。本考案に係る導波管１により前記ギャップ１４に起因する信号の損失及び電磁干渉が減少する。また、本考案に係る導波管１は防水性や耐腐食性等の多機能性を有する。
【００１３】
次は、図３と図４に示されるように、本考案の第二実施形態に係る導波管組立部材１００は複数の導波管１及びナノめっき層２で構成される。前記導波管１は中空の金属管であり、前記中空金属管は通常矩形、方形、または円形の横断面を有する。前記中空部分は導波路空間１３であり、前記導波路空間１３は高周波電磁波を伝導させるために用いられる。複数の前記導波管１は互いに連結され、各前記導波管１が超音波溶接により相互に接合され、前記導波路空間が相互に連通され、各前記導波管１が相互に接合される箇所には微小のギャップ１４が形成される。前記前記ギャップ１４により各前記導波管１が信号を伝送する際に、信号が前記ギャップ１４から散逸し、前記導波管１中を伝送する信号が減衰し、更に散逸した伝送信号が他の部材に干渉を及ぼす。
【００１４】
具体的には前記導波管１が第一接続端１５と、第二接続端１６と、中空の導波路空間１３と、を有する。各前記導波管１の前記第一接続端１５は隣接する他の前記導波管１の前記第二接続端１６に連結されることにより、各前記導波路空間１３が互いに連通される。各前記第一接続端１５と相隣する他の前記導波管１の前記第二接続端１６とが相互に連結される箇所にギャップ１４が生じる。
【００１５】
相互に連結される各前記導波管１の外表面に前記ナノめっき層２がナノ電気めっきにより形成され、隣接する前記導波管１の間に生じるギャップ１４を補填する。ナノ電気めっきは電気めっき液にナノ粒子が添加され、電気めっきを施す際にこれらナノ粒子を利用してめっき層表面を連続的に摩擦することにより、表面の気泡を効果的に除去すると共にめっき層に対する機械研磨を行い、めっき層表面の光沢及び総合的機械強度を高める。ゆえに、前記ナノめっき層２はナノ金属及びセラミック材料が混合されるめっき層であり、成分としてニッケル金属無機塩類（例えば、硫酸ニッケルや塩化ニッケル）、無機酸（例えば、ホウ酸）、界面活性剤（例えば、ラウリル硫酸ナトリウム）、ナノ粒子（例えば、銀ナノ粒子、二酸化チタンナノ粒子、二酸化ケイ素ナノ粒子、酸化アルミニウムナノ粒子、酸化亜鉛ナノ粒子）等を含み、前記導波管１が防水、抗酸化、耐硫化腐食、及び電磁干渉（Electromagnetic Interference、EMI）防止機能を提供する。以上がナノめっき層２の材料の代表的な成分であるが、上述の成分に限定されない。これにより、本考案に係る導波管組立部材１００が前記ギャップ１４により生じる信号の損失及び電磁干渉を効果的に減少させる。また、本考案に係る導波管１００は防水性や耐腐食性等の多機能性を有する。
【００１６】
具体的には、前記ナノめっき層２は、相互に連結される複数の前記導波管１の外表面にナノ電気めっき液が電気めっきされ、且つ各前記第一接続端１５と相隣する他の前記導波管１の前記第二接続端１６とが相互に連結される箇所のギャップ１４を補填する。これにより、各前記第一接続端１５と相隣する他の前記導波管１の前記第二接続端１６とが相互に連結される箇所にギャップが無くなる。
【００１７】
本考案に係る導波管組立部材１００を製造する場合、まず各前記導波管１が組み合わされ、各前記導波管１の相互に連結される箇所では超音波溶接により各前記導波管１が相互に接合される。この際、本考案に係る導波管組立部材１００に中空の導波路空間１３が形成され、前記導波路空間１３の両側の開口部が塞がれた後、本考案に係る導波管組立部材１００にナノ電気めっきが施される。これにより、ナノ金属材料が本考案に係る導波管組立部材１００の外表面に電気めっきされてナノめっき層２が形成されると同時に、前記ナノめっき層２が各前記導波管１の相互に連結される箇所に形成されるギャップ１４を補填して、各前記導波管１の相互に連結される箇所にギャップが無くなる。こうして本考案に係る導波管組立部材１００の製造が完成する。
【００１８】
以上のとおり、本考案に係るナノめっき層を有する導波管１及び導波管組立部材１００は、前記ナノめっき層２が前記導波管１または前記導波管組立部材１００の外表面に形成され、導波管１または前記導波管組立部材１００の各前記導波管１の連結により生じるギャップ１４が補填される。このように、本考案に係るナノめっき層を有する導波管１及び導波管組立部材１００が前記ギャップ１４を有効的に補填し、信号の損失及び電磁干渉を低減させる。また、本考案に係るナノめっき層を有する導波管１及び導波管組立部材１００が防水性や耐腐食性等の多機能性を有する。
【００１９】
以上、本考案の実施形態について図面を参照して詳述したが、具体的な構成はこの実施形態に限られるものではなく、本考案の要旨を逸脱しない範囲の設計変更等も含まれる。
【符号の説明】
【００２０】
１００  導波管組立部材
１  導波管
１１  第一導波路ブロック
１１１  第一組み合わせ面
１１２  第一導波路溝
１２  第二導波路ブロック
１２１  第二組み合わせ面
１２２  第二導波路溝
１３  導波路空間
１４  ギャップ
１５  第一接続端
１６  第二接続端
１７  ガスケット
１８  凹部
２  ナノめっき層
【図１】
0003224247.tif 000003
【図２】
0003224247.tif 000004
【図３】
0003224247.tif 000005
【図４】
0003224247.tif 000006
【図５】
0003224247.tif 000007
【図６】
0003224247.tif 000008